(57)【特許請求の範囲】
【請求項１】
ランプと、
このランプを点灯駆動する駆動回路と、
前記ランプに流れる負荷電流を電圧として検出し、検出電圧を出力する検出回路と、
前記駆動回路による前記ランプの点灯開始により、前記検出回路からの検出電圧をサンプリング入力するサンプリング手段と、
このサンプリング手段にてサンプリング入力した検出電圧が所定回数連続して前記ランプのショート状態を示すものであることを判定して前記ランプのショート状態を判定する判定手段と
を備えたランプショート検出装置において、
前記サンプリング手段は、前記駆動回路による前記ランプの点灯開始時点から前記ランプにラッシュ電流が流れる所定の期間が経過した後に、前記検出電圧のサンプリング入力を開始するものであって、最初の前記所定回数のサンプリング間隔が、その後のサンプリング間隔より短くなるようにサンプリングタイミングを切り換えるサンプリングタイミング切換手段を有する
ことを特徴とするランプショート検出装置。
【請求項２】
ランプ点灯条件が成立した時に、前記ランプを点灯させる点灯信号を出力するランプ制御手段を有し、前記サンプリング手段は前記点灯信号の発生により前記ランプの点灯開始を判断する
ことを特徴とする請求項１に記載のランプショート検出装置。
【請求項３】
前記ランプ制御手段は、前記判定手段が前記ランプのショート状態を判定した時に、前記駆動回路への前記点灯信号の発生を停止させる停止手段を有する
ことを特徴とする請求項２に記載のランプショート検出装置。
【請求項４】
前記ランプ制御手段は、複数種類の点灯条件のうちのいずれかが成立した時に前記点灯信号を発生するものであって、前記停止手段は、前記複数種類の点灯条件のうちの特定の点灯条件が成立した時にのみ前記点灯信号の発生停止を解除する
ことを特徴とする請求項３に記載のランプショート検出装置。
【請求項５】
ランプと、
ランプ点灯条件が成立した時に、前記ランプを点灯させる点灯信号を出力し、ランプ点灯条件が消滅した時に、前記点灯信号の発生を終了するランプ制御手段と、
このランプ制御手段からの点灯信号が発生してる間、前記ランプを点灯駆動する駆動回路と、
前記ランプに流れる負荷電流を電圧として検出し、検出電圧を出力する検出回路とを備え、
前記ランプ制御手段は、前記駆動回路に点灯信号を発生した時点から前記ランプにラッシュ電流が流れる所定の期間が経過した後に、前記検出電圧のサンプリング入力を行うサンプリング手段と、サンプリング入力した検出電圧が所定回数連続して前記ランプのショート状態を示すものである時に前記ランプのショート状態を判定する判定手段とを有し、前記サンプリング手段は、最初の前記所定回数のサンプリング間隔が、その後のサンプリング間隔より短くなるようにサンプリングタイミングが設定されたものである
ことを特徴とするランプショート検出装置。
【請求項６】
ランプと、
ランプ点灯条件が成立した時に、前記ランプを点灯させる点灯信号を出力し、ランプ点灯条件が消滅した時に、前記点灯信号の発生を終了するランプ制御手段と、
このランプ制御手段からの点灯信号が発生してる間、前記ランプを点灯駆動する駆動回路と、
前記ランプに流れる負荷電流を電圧として検出し、検出電圧を出力する検出回路とを備え、
前記ランプ制御手段は、前記点灯信号を発生した後に所定のサンプリング間隔で前記検出電圧のサンプリング入力を行うサンプリング手段と、サンプリング入力した検出電圧が２回連続して前記ランプのショート状態を示すものである時に前記ランプのショート状態を判定する判定手段とを有し、前記サンプリング間隔は、前記ランプの点灯開始時に流れるラッシュ電流が定常電流に移行する移行期間より短く設定されたものであって、前記点灯信号の発生後の最初のサンプリング入力のみ前記移行期間より遅らせて、２回目のサンプリング入力との間隔をそれ以降の前記サンプリング間隔より短くした
ことを特徴とするランプショート検出装置。
【発明の詳細な説明】
【０００１】
【産業上の利用分野】
本発明は、ランプに流れる負荷電流によりランプショートを検出するランプショート検出装置に関する。
【０００２】
【従来の技術】
従来、この種の装置においては、実開平３ー１２８３３０号公報等に示すように、車両用のヘッドライト等のランプ負荷に対し、負荷電流を電圧に変換し、この検出電圧により、負荷電流が所定レベルを越えた時にランプショートの検出を行うようにしている。
【０００３】
このものは、アナログ回路によりランプショートを検出するようにしたものである。これに対し、ディジタル的にランプショートを検出するようにしたものもある。このようなディジタル構成のものにおいては、ランプへの負荷電流を電圧に変換するとともに、それをサンプリング的に入力してランプショートの検出を行うようにしている。
【０００４】
【発明が解決しようとする課題】
しかしながら、ランプの点灯開始時にはラッシュ電流（突入電流）があり、このラッシュ電流が発生している間に、ランプショート検出を行おうとすると、誤検出をしてしまう。また、このようなサンプリング的な検出の場合、１回の検出だけではノイズ等の影響により誤検出してしまう可能性があるため、２回以上のサンプリング値がランプショート状態を示している時に、ランプショートの検出を行う必要がある。
【０００５】
従って、従来のものは、そのようなことを考慮し、ラッシュ電流が発生している間を除いて、検出電圧をサンプリング的に入力し、そのサンプリング値が２回以上ランプショート状態を示している時に、ランプショートの検出を行うものである。
しかしながら、そのサンプリング間隔が長いと、１回目のサンプリングによりショート状態を検出してから、２回目のサンプリングによりショート状態を検出するまでの間が長くなり、その間ランプショートによる過電流が流れるため、ランプショート保護を行う上で好ましくない。
【０００６】
一方、サンプリング間隔を短くすると、ラッシュ電流が流れている時に、ランプショートを検出してしまう可能性がある。
本発明は上記問題に鑑みてなされたもので、ランプ点灯開始後の、最初にランプショート検出を行うまでのサンプリング間隔をその後のサンプリング間隔より短くして、上記問題を解決することを目的とする。
【０００７】
【課題を解決するための手段】
本発明は上記目的を達成するため、請求項１に記載の発明においては、
ランプ（１）と、このランプを点灯駆動する駆動回路（５）と、
前記ランプに流れる負荷電流を電圧として検出し、検出電圧を出力する検出回路（１０）と、
前記駆動回路による前記ランプの点灯開始により、前記検出回路からの検出電圧をサンプリング入力するサンプリング手段（３１）と、
このサンプリング手段にてサンプリング入力した検出電圧が所定回数連続して前記ランプのショート状態を示すものであることを判定して前記ランプのショート状態を判定する判定手段（３２）と
を備えたランプショート検出装置において、
前記サンプリング手段（３１）は、前記駆動回路による前記ランプの点灯開始時点から前記ランプにラッシュ電流が流れる所定の期間が経過した後に、前記検出電圧のサンプリング入力を開始するものであって、最初の前記所定回数のサンプリング間隔が、その後のサンプリング間隔より短くなるようにサンプリングタイミングを切り換えるサンプリングタイミング切換手段（４５〜４７，４９）を有する
ことを特徴としている。
【０００８】
請求項２に記載の発明では、請求項１に記載の発明において、ランプ点灯条件が成立した時に、前記ランプを点灯させる点灯信号を出力するランプ制御手段（２４〜２９）を有し、前記サンプリング手段（３１）は前記点灯信号の発生により前記ランプの点灯開始を判断する
ことを特徴としている。
【０００９】
請求項３に記載の発明では、請求項２に記載の発明において、前記ランプ制御手段（２４〜２９）は、前記判定手段が前記ランプのショート状態を判定した時に、前記駆動回路への前記点灯信号の発生を停止させる停止手段（２９，３０）を有する
ことを特徴としている。
【００１０】
請求項４に記載の発明では、請求項３に記載の発明において、前記ランプ制御手段（２４〜２９）は、複数種類の点灯条件のうちのいずれかが成立した時に前記点灯信号を発生するものであって、前記停止手段（２９，３０）は、前記複数種類の点灯条件のうちの特定の点灯条件が成立した時にのみ前記点灯信号の発生停止を解除する
ことを特徴としている。
【００１１】
請求項５に記載の発明においては、
ランプ（１）と、
ランプ点灯条件が成立した時に、前記ランプを点灯させる点灯信号を出力し、ランプ点灯条件が消滅した時に、前記点灯信号の発生を終了するランプ制御手段（２）と、
このランプ制御手段からの点灯信号が発生してる間、前記ランプを点灯駆動する駆動回路（５）と、
前記ランプに流れる負荷電流を電圧として検出し、検出電圧を出力する検出回路（１０）とを備え、
前記ランプ制御手段（２）は、前記駆動回路に点灯信号を発生した時点から前記ランプにラッシュ電流が流れる所定の期間が経過した後に、前記検出電圧のサンプリング入力を行うサンプリング手段（３１）と、サンプリング入力した検出電圧が所定回数連続して前記ランプのショート状態を示すものである時に前記ランプのショート状態を判定する判定手段（３２）とを有し、前記サンプリング手段は、最初の前記所定回数のサンプリング間隔が、その後のサンプリング間隔より短くなるようにサンプリングタイミングが設定されたものである
ことを特徴としている。
【００１２】
請求項６に記載の発明においては、
ランプ（１）と、
ランプ点灯条件が成立した時に、前記ランプを点灯させる点灯信号を出力し、ランプ点灯条件が消滅した時に、前記点灯信号の発生を終了するランプ制御手段（２）と、
このランプ制御手段からの点灯信号が発生してる間、前記ランプを点灯駆動する駆動回路（５）と、
前記ランプに流れる負荷電流を電圧として検出し、検出電圧を出力する検出回路（１０）とを備え、
前記ランプ制御手段（２）は、前記点灯信号を発生した後に所定のサンプリング間隔で前記検出電圧のサンプリング入力を行うサンプリング手段（３１）と、サンプリング入力した検出電圧が２回連続して前記ランプのショート状態を示すものである時に前記ランプのショート状態を判定する判定手段（３２）とを有し、前記サンプリング間隔は、前記ランプの点灯開始時に流れるラッシュ電流が定常電流に移行する移行期間より短く設定されたものであって、前記点灯信号の発生後の最初のサンプリング入力のみ前記移行期間より遅らせて、２回目のサンプリング入力との間隔をそれ以降の前記サンプリング間隔より短くした
ことを特徴としている。
【００１３】
なお、上記各手段のカッコ内の符号は、後述する実施例記載の具体的手段との対応関係を示すものである。
【００１４】
【発明の作用効果】
本発明によれば、ランプ点灯開始後のラッシュ電流が流れる所定の期間が経過した後に、ランプの負荷電流に応じた検出電圧をサンプリング入力し、サンプリング入力した検出電圧が所定回数連続してランプのショート状態を示すものである時にランプのショート状態を判定している。従って、ラッシュ電流およびノイズの影響を受けないランプショート検出を行うことができる。
【００１５】
さらに、最初の前記所定回数のサンプリング間隔が、その後のサンプリング間隔より短くなるようにサンプリングタイミングを設定している。従って、ランプ点灯当所からランプがショートしている場合に、そのショート状態を直ちに検出してランプショート保護を十分に行うことができる。
【００１６】
【実施例】
以下、本発明を図に示す実施例について説明する。
図１は本発明の一実施例を示す車両用ランプ制御装置の全体構成図である。
この図１において、車室内のセンター、ルームミラー付近のフロント部、左右のピラー部に、ルームランプ１ａ〜１ｄ（以後、これらを総称してランプ１という）がそれぞれ設けられており、このランプ１をマイクロコンピュータ（以下、単にコンピュータという）２により点灯制御する。
【００１７】
コンピュータ２は、車載バッテリ３から安定化電源回路４を介し、安定化電圧の供給を受けて常時作動している。このコンピュータ２には、キースイッチがイグニッション（ＩＧ）端子に入った時に閉成するＩＧスイッチ６、運転席、助手席、左右の後席のドアが開放した時に閉成するドアスイッチ７ａ〜７ｄ（以後、これらを総称してドアスイッチ７という）、全ドアの施錠・解錠状態を検出する施錠・解錠検出スイッチ８からの信号（スイッチ８が図の上側接点にあるときはロック信号、下側接点にある時はアンロック信号）が入力される。コンピュータ２は、それらの信号状態により、ランプ１の点灯条件、消灯条件を判別し、点灯条件が成立した時には、駆動回路５に点灯信号を出力して、ランプ１を点灯させる。
【００１８】
駆動回路５は、トランジスタ５ａおよびランプ電流制限抵抗５ｂ等により構成されており、トランジスタ５ａはコンピュータ２からＨレベルの点灯信号が発生した時にオンする。この時、車載バッテリ３よりヒューズ９を介し、ランプ１に負荷電流が流れ、ランプ１は点灯する。
このランプ１の負荷電流は、負荷電流検出回路１０にて検出される。この負荷電流検出回路１０は、プルアップ抵抗１０ａ、入力保護抵抗１０ｂにより構成されており、ランプ１と駆動回路５の間の負荷電流に応じた電圧により検出電圧を出力する。コンピュータ２は、その検出電圧を入力してランプ１がショート状態にあるか否かを判定する。すなわち、ランプ１がショートしてトランジスタ５ａに過電流が流れると、トランジタ５ａのコレクタ電圧が上昇し、それに応じた検出電圧を入力してショート状態の判定を行う。
【００１９】
なお、図中における＋Ｂはバッテリ電圧を意味している。
コンピュータ２は、１ビットマイクロコンピュータで構成されており、そのハード構成を図２に示している。
コンピュータ２は、ドアスイッチ７からの出力によりドアが開から閉に変化したことを検出するドア開閉検出部２１と、施錠・解錠検出スイッチ８からの信号によりドアが施錠から解錠に変化したことを検出するドア解錠変化検出部２２を有している。また、フリップフロップ（以下、単にＦ／Ｆという）３０は、ランプショート判定時にセットされるものであり、それ以外の時には、リセット状態になっており、Ｌレベル信号を出力している。
【００２０】
そして、ドアスイッチ７からの信号がドアが開いている信号（ドアスイッチ７がオープン状態の時には、コンピュータ２内でＨレベルの信号とされる）である時には、ＯＲ回路２８の出力がＨレベルになり、ＡＮＤ回路２９の出力がＨレベルとなって、駆動回路５にＨレベルの点灯信号を出力する。
また、上記以外に、ドア開閉検出部２１にてドアが開から閉に変化したことを検出した時、あるいはドア解錠変化検出部２２にてドアが施錠から解錠に変化したことを検出した時に、それらの出力により、ＯＲ回路２４を介しタイマ回路２６が作動して、一定時間Ｈレベルのタイマ信号を出力する。このタイマ信号により、ＡＮＤ回路２７、ＯＲ回路２８、ＡＮＤ回路２９を介し、点灯信号を出力する。
【００２１】
従って、ランプ１を点灯させる点灯条件は、ドアが開状態となっていること、ドアが開から閉に変化した後の一定時間、ドアが施錠から解錠に変化した後の一定時間の３つである。
また、ランプ１の消灯条件は、ＩＧスイッチ６からＩＧオンの信号が出力された時、あるいはドアが解錠から施錠に変化した時である。このドアが解錠から施錠に変化したことを検出するため、ドア施錠変化検出部２３が設けられている。そして、これらの消灯条件が生じた時に、ＯＲ回路２５の出力がＨレベルになるため、ＡＮＤ回路２７の出力がＬレベルとなり、その結果、ＯＲ回路２８を介し、ＡＮＤ回路２９の出力がＬレベルとなって、駆動回路５へＬレベルの消灯信号を出力する。
【００２２】
なお、このような消灯条件が生じた時には、上記タイマ回路２６からタイマ信号が出力されていても強制的にランプ１を消灯させる。
次に、ランプ点灯時のランプショート検出について説明する。
上記のようにランプ点灯条件が成立すると、コンピュータ２は駆動回路５に点灯信号を出力する。この点灯信号により、駆動回路５内のトランジスタ５ａはオンし、車載バッテリ３からヒューズ９を介し、ランプ１に負荷電流を供給する。ここで、その負荷電流に比例した検出電圧が、負荷電流検出回路１０の抵抗１０ａと１０ｂ間に発生する。
【００２３】
ランプ１の点灯開始時には、ランプ１にラッシュ電流が生じるため、点灯開始直後には、負荷電流検出回路１０からの検出電圧によりランプ１がショートしているか否かが判定できない。そこで、本実施例においては、ランプ点灯開始後、一定時間経過してからランプショート検出を行うようにしている。
具体的には、上記点灯信号が発生してから、ランプ１の点灯開始時に流れるラッシュ電流が定常電流（ショート判定のスレショルドレベル以下となる電流）に移行する移行期間が経過した後、負荷電流検出回路１０からの検出電圧をサンプリング回路３１にてサンプリング入力する。
【００２４】
また、負荷電流検出回路１０からの検出電圧には、ノイズが入る可能性があり、それによる誤検出を防ぐため、サンプリングした検出電圧が２回連続してショート状態を示すＨレベルの時にランプショートを判定するランプショート判定回路３２を設けている。このランプショート判定回路３２にてランプショートを判定した時に、そこからのＨレベル出力により、Ｆ／Ｆ３０がセットされる。その結果、Ｆ／Ｆ３０よりＨレベル信号が出力され、ＡＮＤ回路２９の出力をＬレベルにしてランプ１を消灯させる。
【００２５】
また、ランプショート判定によりＦ／Ｆ３０がセットされた後は、ドア開閉検出部２１からの信号によりドアが開から閉になったことを検出した時のみ、Ｆ／Ｆ３０をリセットして、ランプ１の点灯を行い、ランプ１のショートが回復したか否かを再度判定できるようにしている。これは、ドアが施錠から解錠に変化した時の点灯条件にてランプ１を点灯させるようにすると、キーでドアの施錠、解錠を繰り返し行った場合に、その都度ランプ１が点灯し、ランプショート保護を十分行えないからである。
【００２６】
上述したランプショートの判定において、本実施例の特徴とするところは、サンプリング回路３１において、１回目のサンプリングと２回目のサンプリングの間を短くし、３回目以降はそれよりも長いサンプリング間隔にてサンプリングを行うようにした点である。言い換えれば、サンプリングを周期的に行う場合に、１回目のサンプリングのみサンプリングタイミングを遅らせるようにした点である。
【００２７】
このことを図３により説明すると、図３（ａ）に示すＨレベルの点灯信号が出力され、ランプ１の点灯が開始されると、ランプ１に流れる負荷電流は図３（ｂ）のように変化する。ランプ１の点灯開始直後はラッシュ電流が流れるため、負荷電流は大きいが、その後徐々に低下していく。ここで、そのラッシュ電流が流れている間は、検出電圧が高いため、その間の電圧をスレッショルド電圧Ｖthと比較すると、誤検出をしてしまう。そこで、このようなラッシュ電流の発生期間を外した一定時間経過後に１回目のサンプリングを行う。
【００２８】
また、上述したように、本実施例ではサンプリングデータの２回一致により、ランプショート検出をしている。ここで、１回目のサンプリングデータを入力し、それがランプショート状態を示している時に、２回目のサンプリングデータの入力が遅れると、その間トランジスタ５ａに過電流が流れることになり、トランジスタ５ａの保護を十分に行うことができない。そこで、本実施例においては、２回目のサンプリングを図に示すように１回目のサンプリング直後の短い時点で行うようにし、３回目以降はそれよりも長い間隔でサンプリングを行うようにしている。
【００２９】
言い換えれば、サンプリングを行う場合、通常、一定間隔でサンプリングを行うようにサンプリング回路を設定するが、その間隔が長い場合には、ランプ１のショート検出が遅れることになり、トランジスタ５ａの十分な保護ができない。一方、サンプリング間隔を短くすると、ラッシュ電流の影響により検出電圧が高い間にサンプリングが行われ、誤検出してしまう可能性がある。そこで、ラッシュ電流が定常電流に移行する移行期間より短いサンプリング間隔を設定して、ランプショート保護を図るとともに、その移行期間内に入ってしまう１回目のサンプリングタイミングを移行期間後に遅らせて、ラッシュ電流による影響を防ぐようにしている。
【００３０】
このような作動を行うサンプリング回路３１およびランプショート判定回路３２の詳細な構成を図４に示す。なお、図中の論理素子に付した白丸は、信号レベルの反転を示している。
サンプリング回路３１において、図２のＡＮＤ回路２９から点灯信号が発生すると、ＯＲ回路４１の出力がＬレベルに変化し、これによりカウンタ４２のリセットが解除されてカウント動作を開始する。このカウント動作によりＱn およびＱn+1 よりＨレベルの出力がなされると、ＡＮＤ回路４３の出力がＨレベルとなり、ＮＯＴ回路とＡＮＤ回路にて構成されるワンショット回路４４よりパルス信号が出力される。また、上記点灯信号によりＦ／Ｆ４５はリセットされその出力はＬレベルとなっている。従って、ＡＮＤ回路４６の出力はＨレベルとなり、１回目のサンプリングパルスがＯＲ回路４７から出力される。
【００３１】
この後、カウンタ４２のＱn+2 よりＨレベルの信号が出力されると、このＨレベル信号によりＯＲ回路４７より２回目のサンプリングパルスが出力される。従って、１回目と２回目は短いサンプリング間隔となる。また、カウンタ４２のＱn+2 からのＨレベル信号によりＦ／Ｆ４５はセットされる。また、そのＨレベル信号により、ＯＲ回路４１を介しカウンタ４２はリセットされカウント作動を再開する。
【００３２】
そして、Ｆ／Ｆ４５がセットされたことにより、ＡＮＤ回路４６が閉じるためカウンタ４２のＱn およびＱn+1 からＨレベルが出力されてもそれによるサンプリングパルスは発生されない。
また、Ｆ／Ｆ４５のセットにより、ＡＮＤ回路４９が開くため、カウンタ４２のＱn+1 からＨレベルの信号が出力されると、ワンショット回路４８からパルス信号が発生し、それが３回目のサンプリングパルスとなる。また、カウンタ４２のＱn+2 からのＨレベル信号もサンプリングパルスとなるため、３回目以降は、ワンショット回路４８からのパルス信号とカウンタ４２のＱn+2 からのＨレベル信号により交互にサンプリングパルスがＯＲ回路４７より出力される。
【００３３】
上記したカウンタ４２の動作に対するＯＲ回路４７からのサンプリングパルスの発生タイミングを図５に示す。
なお、上記２回目以降のサンプリング間隔はラッシュ電流が定常電流に移行する移行期間より短く設定してあり、従って図５からも明らかなように、点灯信号の発生後の１回目のサンプリングタミングのみ、その移行期間より長く設定されている。
【００３４】
また、図２のＡＮＤ回路２９からの点灯信号は、遅延ゲート５０を介しＡＮＤ回路５１に入力される。従って、ＡＮＤ回路５１は、負荷電流検出回路１０からの検出電圧がＡＮＤ回路５１のスレッショルド電圧Ｖthより高い時にＨレベル信号を出力し、低い時にＬレベル信号を出力する。そして、上記のようなサンプリングパルスが発生する毎に、ＯＲ回路５２を介したＨレベル信号によりゲート５３が開き、ＡＮＤ回路５１の出力、すなわち負荷電流検出回路１０からの検出電圧がサンプリング入力される。
【００３５】
次に、ランプショート判定回路３２について説明する。
このランプショート判定回路３２において、ゲート６１はＯＲ回路５２の出力がＨレベルになる毎に開き、ゲート５３の出力を遅延して出力する。排他的論理和回路６２は、ゲート５３、６１の出力を排他的論理和して出力し、ゲート６３を制御する。
【００３６】
ここで、ゲート６１は、ＯＲ回路５２からのサンプリングパルスが発生する毎に、ゲート５３の出力を遅延して出力する。従って、ランプショート時のようにＡＮＤ回路５１の出力がＨレベルになっていたとしても、ゲート５３を開いてサンプリング入力する値が連続して２回ゲート５３を通過しない限り、排他的論理和回路６２の出力がＨレベルにならない。言い換えれば、サンプリング入力した値が連続してＨレベルの時に、排他的論理和回路６２の出力によりゲート６３を開いてそのＨレベル信号を出力する。このＨレベル信号はＡＮＤ回路６４を介し、図２のＦ／Ｆ３０に出力され、ランプショート状態であるとして、Ｆ／Ｆ３０をセットし、ＡＮＤ回路２９を閉じて点灯信号の出力を停止させる。
【００３７】
従って、ランプ点灯当所からランプ１がショート状態にあれば、図３（ｃ）のランプ点灯状態に対し、図３（ｄ）に示すように、２回のサンプリングにてランプショート状態が直ちに判定され、ランプ１を消灯させる。また、ランプ１の点灯後しばらくたってからランプショート状態になった時には、図３（ｅ），（ｆ）に示すように、その時点でランプ１を消灯させる。
【００３８】
なお、コンピュータ２としては、上記した１ビットマイクロコンピュータ以外に、図６に示すフローチャートによる制御を行うものを用いることができる。
図６において、まずステップ１０１にて上記したランプ１の３つの点灯条件のいずれかが成立したか否かを判定する。点灯条件が成立した時には、ステップ１０２に進んで、駆動回路５に点灯信号を出力する。そして、ステップ１０３にてラッシュ電流の時間待ちを行う。この後、ステップ１０４にて短い間隔で２回のサンプリングを行い、ステップ１０５に進んで、そのサンプリングした検出電圧が２回ともランプ１のショート状態を示しているか否かによりランプショート判定を行う。
【００３９】
ランプショートでないと判定されると、ステップ１０６に進み、上記したランプ１の消灯条件が成立したか否かを判定する。ランプ消灯条件が成立した時は、ステップ１０７に進み、駆動回路５への点灯信号の発生を停止する。また、ランプ消灯条件が成立しない間は、ステップ１０８にて３回目以降のサンプリングを行い、ステップ１０５にてランプショート判定を行う。
【００４０】
ステップ１０５にてランプショート判定がなされると、ステップ１０９に進んで駆動回路５への点灯信号の発生を停止する。そして、ステップ１１０に進んで、ドアが開から閉になった点灯条件のみ判定する。
この点灯条件が成立した時には、ステップ１０２に戻り、再度ランプ１を点灯させて、ランプ１がショート状態から回復したか否かを判定するようにする。
【００４１】
なお、上記したフローチャートの各ステップは、それぞれの機能を実現する機能実現手段を構成しており、それらは図２に示すもののような構成として把握されるものである。
また、上記実施例では、サンプリング入力した検出電圧が２回連続してランプ１のショート状態を示すものである場合にランプショートを判定するようにしたが、その連続回数は２回に限らず３回以上であってもよい。その場合には、その連続回数分だけ最初のサンプリング間隔が短く設定される。
【００４２】
なお、駆動回路５において、トランジスタ５ａを用いた構成としているが、ｐ−ＭＯＳ等の他の能動素子を用いて構成してもよい。
【図面の簡単な説明】
【図１】本発明の一実施例を示す車両用ランプ制御装置の全体構成図である。
【図２】コンピュータのハード構成を示す構成図である。
【図３】ランプの点灯に対する負荷電流の変化状態を示す図である。
【図４】サンプリング回路およびランプショート判定回路の詳細な構成を示す構成図である。
【図５】カウンタの動作に対するサンプリングパルスの発生タイミングを示すタイミングチャートである。
【図６】コンピュータによるランプ点灯およびショート検出の処理を示すフローチャートである。
【符号の説明】
１  ランプ
２  コンピュータ
５  駆動回路
６  ＩＧスイッチ
７  ドアスイッチ
８  施錠・解錠検出スイッチ
１０  負荷電流検出回路
【図１】
0003661203.tif 000002
【図２】
0003661203.tif 000003
【図３】
0003661203.tif 000004
【図４】
0003661203.tif 000005
【図５】
0003661203.tif 000006
【図６】
0003661203.tif 000007